(57)【要約】【課題】本発明は、カメラの重心位置の調整を容易にすることを目的とする。【解決手段】本発明の撮像装置は、カメラ部とビューファインダー部とカメラ固定部と三脚を備えた撮像装置であって、カメラ部とカメラ固定部の間に少なくとも二つの圧力検知部を有し、カメラ部は少なくとも二つの前記圧力検知部の出力から重心位置を算出する重心位置検出部と、該重心位置検出部で算出した重心位置をビューファインダー部に表示するための重心位置画像を生成する重心表示画像生成部と、カメラ部の映像信号と前記重心位置画像を合成する画像信号合成部を有し、ビューファインダー部はカメラ部の重心を表示することを特徴とする。【選択図】  図１
2015186245.tif 000002
【特許請求の範囲】
【請求項１】
カメラ部とビューファインダー部とカメラ固定部と三脚を備えた撮像装置において、
前記カメラ部と前記カメラ固定部の間に少なくとも二つの圧力検知部を有し、
前記カメラ部は、少なくとも二つの前記圧力検知部の出力から重心位置を算出する重心位置検出部と、該重心位置検出部で算出した重心位置を前記ビューファインダー部に表示するための重心位置画像を生成する重心表示画像生成部と、前記カメラ部の映像信号と前記重心位置画像を合成する画像信号合成部を有し、
前記ビューファインダー部は、前記カメラ部の重心を表示することを特徴とする撮像装置。
【請求項２】
請求項１に記載の撮像装置において、
前記カメラ固定部は、前記三脚の中心位置に合わせるための目盛を有することを特徴とする撮像装置。
【発明の詳細な説明】
【技術分野】
【０００１】
本発明は、撮像装置に関し、特に撮像装置における重心位置の調整補助機能に関するものである。
【背景技術】
【０００２】
従来の撮像装置について、図６を用いて説明する。
図５は従来の撮像装置のシステム全体を示す概略図である。
撮像装置は、カメラ部６１を三脚９に装着して運用する場合、三脚９にカメラ部５１専用のカメラ固定部（三脚アダプタ）６５を装着し、カメラ固定部６５にカメラ部６１を装着する。
なお、カメラ部６１は図示していないカメラアダプタが装着される場合もある。
カメラマンは、撮影前に三脚９に装着したカメラ部６１の前後位置を調整することによって重心位置の調整を行う。
カメラ部６１の重心位置は、装着するレンズ部３、ビューファインダー部２、マイク部４、図示していない伝送ケーブルにより変化するため、その時の運用形態に合わせた重心位置の調整を都度行う必要がある。
カメラマンは、カメラ部６１の前後位置を撮影方向に対して動かし、手を離したときに前後に傾かない重心の最適位置を探す。
カメラ部６１の重心位置が適切でない場合、カメラ部６１の取り回しがスムーズに行えなくなる、また、三脚９に過度な負荷が掛かり破損する、または三脚９がバランスを崩して倒れるなどの危険性があるため、重心位置の調整は念入りに行われる。
この時、カメラマンは重心位置を最適位置に合わせようとして何度もカメラ部６１の前後位置を動かすことになり、結果的に重心位置の調整に時間を要する。
【０００３】
先行技術文献としては、特開２００７−１２４００８号公報（特許文献１）等が挙げられる。
【先行技術文献】
【特許文献】
【０００４】
【特許文献１】特開２００７−１２４００８号公報
【発明の概要】
【発明が解決しようとする課題】
【０００５】
本発明は、撮像装置の重心位置の調整を容易にすることを目的とする。
【課題を解決するための手段】
【０００６】
本発明の撮像装置は、カメラ部とビューファインダー部とカメラ固定部と三脚を備えた撮像装置であって、カメラ部とカメラ固定部の間に少なくとも二つの圧力検知部を有し、カメラ部は少なくとも二つの前記圧力検知部の出力から重心位置を算出する重心位置検出部と、該重心位置検出部で算出した重心位置をビューファインダー部に表示するための重心位置画像を生成する重心表示画像生成部と、カメラ部の映像信号と前記重心位置画像を合成する画像信号合成部を有し、ビューファインダー部はカメラ部の重心を表示することを特徴とする。
【０００７】
また、本発明の撮像装置は、上述の撮像装置であって、カメラ固定部は三脚の中心位置に合わせるための目盛を有することを特徴とする。
【発明の効果】
【０００８】
本発明によれば、カメラマンは接続機器を含めた撮像装置の重心位置を視覚的に知ることができ、これまで時間が掛かっていた重心位置の調整を迅速に行うことができる。
【図面の簡単な説明】
【０００９】
【図１】本発明の一実施例に係る撮像装置のシステム全体を示す概略図である。
【図２】本発明の一実施例に係る撮像装置の重心位置検出を説明するためのブロック図である。
【図３】本発明の一実施例に係るビューファインダー部の表示部に表示する内容を説明するための図である。
【図４】本発明の他の一実施例に係る撮像装置のシステム全体を示す概略図である。
【図５】本発明の他の一実施例に係るビューファインダー部の表示部に表示する内容を説明するための図である。
【図６】従来の撮像装置のシステム全体を示す概略図である。
【発明を実施するための形態】
【００１０】
以下、本発明の一実施形態について図面を参照して説明する。
図１は本発明の一実施例に係る撮像装置のシステム全体を示す概略図である。
図１において、撮像装置は、カメラ部１を三脚９に装着して運用する場合、三脚９にカメラ部１専用のカメラ固定部（三脚アダプタ）５を装着し、カメラ固定部５にカメラ部１を装着する。
カメラ部１は、ビューファインダー部２とレンズ部３とマイク部４が装着される。
なお、運用形態によって、カメラ部１は図示していないカメラアダプタ、大型ビューファインダー、伝送ケーブル、バッテリー等が装着される場合もある。
【００１１】
カメラ部１の重心を求めるための圧力検知部６，７は、カメラ部１の底面とカメラ固定部５の間に取り付けられている。
圧力検知部６，７は、例えば、荷重センサ、ロードセル（LOADCELL）等である。
なお、圧力検知部６，７は、カメラ部１に装着可能な装置を全部または組合せで装着された場合の重心位置を挟んだ撮影方向の前後に取り付けることが望ましい。
また、圧力検知部は重心位置を挟んで左右に少なくても２個をさらに追加取り付けすることで、カメラ部１の左右の重心調整も可能となる。
符号８はカメラ部１の重心を示し、符号１０は三脚９の中心を示している。
【００１２】
（実施例１）
次に、カメラ部１の重心位置の検出方法について、図２を用いて説明する。
図２は本発明の一実施例に係る撮像装置の重心位置検出方法を説明するためのブロック図である。
図２において、カメラ部１は、撮像素子部２１、映像信号処理部２２、映像信号出力部２３、接栓２４、重心位置検出部２５、メモリ部２６、重心表示画像生成部２７、画像信号合成部２８で構成されている。
なお、撮像素子部２１は、ＣＣＤ（Charge  Coupled  Device）やＣＭＯＳ（Complementary  Metal  Oxide  Semiconductor）等の撮像素子であり、撮像素子が単板でも三板等の複数板でもよい。
【００１３】
入射光は、レンズ部３で結像されて、撮像素子部２１で光電変換される。撮像素子部２１から出力された撮像信号は、映像信号処理部２２でレベル調整、色補正、輪郭補正、ガンマ補正、ニー補正等の各種映像信号処理が行われ、映像信号出力部２３でＳＤＩ（Serial  Digital  Interface）信号等の所定の出力信号に変換され、接栓２４からカメラ出力信号として出力される。
【００１４】
重心位置検出部２５は、圧力検知部６，７から出力された信号からカメラ部１の重心位置を検出する。
メモリ部２６は、カメラ部１の重心位置を算出するときに使用する圧力検知部６，７の取付位置による補正値および出力レベルのばらつきを補正するための補正値が補正テーブルとして記憶されている。
メモリ部２６の補正テーブルは、例えば、カメラ部１とカメラ固定部５の間に圧力検知部６，７を取り付けた状態で、平坦な面に置き、その時に圧力検知部６，７から出力される信号レベルを補正値とする。
【００１５】
重心位置検出部２５は、圧力検知部６，７から出力された信号レベルとメモリ部２６から読み出した補正テーブルから周知の方法でカメラ部１の重心位置を算出する。
なお、重心位置検出部２５はＣＰＵ（Central  Processing  Unit）であってもよい。
【００１６】
重心表示画像生成部２７は、後述の図３の重心表示画像３２、または図５の重心表示画像５２、目標重心位置５３、現在の重心位置５４の画像信号を生成する。
【００１７】
画像信号合成部２８は、映像信号処理部２２から出力された映像信号と、重心表示画像生成部２７から出力された重心表示画像を合成し、ビューファインダー部２に出力する。
【００１８】
次に、本発明の一実施例に係るカメラ部１の重心の調整方法について説明する。
図３は本発明の一実施例に係るビューファインダー部の表示部に表示する内容を説明するための図である。
図３において、ビューファインダー部２の表示部３１には、重心位置が数値で表示される。例えば、重心位置が“７．０”と表示される。
【００１９】
図１のカメラ固定部（三脚アダプタ）５は、符号１１の目盛に示すように、カメラ部１本体の前部接合部が接合する位置から、後部接合部が接合する位置にかけて、数値の入った目盛り線を有している。目盛り線の数値は重心位置検出部２５が算出する重心位置の数値と対応している。
三脚９には、三脚の中心を示す表示“▲”１２を有している。
【００２０】
カメラマン（使用者）は、カメラ固定部（三脚アダプタ）５の目盛り線を見ながら、ビューファインダー部２の表示部３１に表示された重心位置の数値と三脚９の中心点１２とが一致するようにカメラ固定部（三脚アダプタ）５の位置を調整することで、カメラ部１本体のおおよその重心位置を三脚の中心にセットすることができる。これにより、従来は時間が掛かっていたカメラ本体の前後の位置決め作業を容易に行うことができる。
【００２１】
三脚９の中心点１２にカメラ部１のおおよその重心位置を合わせれば、三脚９のバランサ機能により、カメラ部１の前後の水平バランスを保つことができる。
なお、三脚の中心点１２は、三脚９が有する前後位置調整部の目盛り軸を用いてもよい。
カメラ部１の前後位置の調整は、三脚９の前後位置調整部は用いず、カメラ固定部（三脚アダプタ）５の位置を移動させることによって行う。これにより、三脚９の中心点とカメラ固定部（三脚アダプタ）５の目盛り線の位置の相対関係は変わらないため、三脚９の中心点と撮像装置の重心位置を合わせることができる。
【００２２】
（実施例２）
次に、本発明の他の一実施例に係る撮像装置について、図４、図５を用いて説明する。
図４は本発明の他の一実施例に係る撮像装置のシステム全体を示す概略図である。
図４は、図１との相違点がカメラ固定部（三脚アダプタ）４５である。
図４のカメラ固定部４５は、図１のカメラ固定部５に有している目盛１１が無いタイプである。
【００２３】
次に、本発明の他の一実施例に係るビューファインダー部の表示部に表示する内容について説明する。
図５は本発明の他の一実施例に係るビューファインダー部の表示部に表示する内容を説明するための図である。
【００２４】
図５において、ビューファインダー部２の表示部３１には、重心表示画像５２が表示される。
重心表示画像５２は、台形画像の長辺が撮影方向であり、十字画像の中心が目標重心位置５３であり、符号５４が現在の重心位置を示す画像である。
なお、ビューファインダー部２の取付位置に応じて撮影方向である台形画像を自動的に回転させるようにしてもよい。
【００２５】
図５は、カメラ部１の重心が前方に偏っていることを示す一例である。
カメラマンは、重心表示画像５２を見ながら、容易に重心位置の調整を迅速に行うことができる。
【００２６】
本発明の実施形態である撮像装置は、カメラマンが接続機器を含めた撮像装置の重心位置を視覚的に知ることができ、これまで時間が掛かっていた重心位置の調整を迅速に行うことができる。
【００２７】
以上本発明について詳細に説明したが、本発明は、ここに記載された撮像装置に限定されるものではなく、上記以外の撮像装置に広く適用することができることは言うまでもない。
【符号の説明】
【００２８】
１，４１，６１：カメラ部、２：ビューファインダー部、３：レンズ部、４：マイク部、５，４５，６５：カメラ固定部、６，７：圧力検知部。８：重心、９：三脚、１０：三脚の中心、１１：目盛、１２：三脚の中心を示す表示、２１：撮像素子部、２２：映像信号処理部、２３：映像信号出力部、２４：接栓、２５：重心位置検出部、２６：メモリ部、２７：重心表示画像生成部、２８：画像信号合成部、３１：表示部、３２：重心表示画像、５２：重心表示画像、５３：目標重心位置、５４：現在の重心位置。
【図１】
2015186245.tif 000003
【図２】
2015186245.tif 000004
【図３】
2015186245.tif 000005
【図４】
2015186245.tif 000006
【図５】
2015186245.tif 000007
【図６】
2015186245.tif 000008